(57)【要約】【解決手段】上刃体５と下刃体６とからなる刃体本体３に対し押圧操作てこ４を回動支持部１２で回動可能に支持し、押圧操作てこ４の圧接部８により上刃体５上で上刃体５を押圧して上刃先５ａと下刃先６ａとを互いに当接させる使用状態Ｑを取り得る。使用状態Ｑでは、押圧操作てこ４の圧接部８を互いに異なる形態に変更して、上刃体５に対する押圧操作てこ４の離間距離Ｈを互いに相違させるとともに上刃先５ａと下刃先６ａとの間隔Ｓを互いに相違させた複数の押圧可能状態を取り得る。【効果】手のサイズや爪のサイズなどの使用者の身体的条件に応じて使用状態Ｑにおける押圧可能状態を変更することができるので、爪切りの使い勝手を良くすることができる。【選択図】図６
2010172573.tif 000002
【特許請求の範囲】
【請求項１】
上刃先を有する上刃体と下刃先を有する下刃体とからなる刃体本体に対し回動支持部で回動可能に支持した押圧操作てこに設けた圧接部によりこの刃体本体を押圧して上刃先と下刃先とを互いに当接させることができる使用状態を取り得る爪切りにおいて、この使用状態で押圧操作てこと刃体本体との相対位置関係を互いに相違させた複数の押圧可能状態を取り得ることを特徴とする爪切り。
【請求項２】
上刃先を有する上刃体と下刃先を有する下刃体とからなる刃体本体に対し回動支持部で回動可能に支持した押圧操作てこに設けた圧接部によりこの刃体本体を押圧して上刃先と下刃先とを互いに当接させることができる使用状態を取り得る爪切りにおいて、この使用状態で押圧操作てこと刃体本体との相対位置関係を互いに相違させた複数の押圧可能状態を取り得るように押圧操作てこと刃体本体との間で作用する変更手段を設けたことを特徴とする請求項１に記載の爪切り。
【請求項３】
前記変更手段は、固定部と可動部とを有する変形部を有し、その固定部に対し可動部を移動可能に支持して、その変形部を互いに異なる複数の形態に変更し得ることを特徴とする請求項２に記載の爪切り。
【請求項４】
前記変更手段の変形部は、上刃体上で上刃体を押圧し得るように押圧操作てこに設けた圧接部であって、その圧接部を互いに異なる形態に変更して、使用状態で押圧操作てこと上刃体との相対位置関係を互いに相違させた複数の押圧可能状態を取り得ることを特徴とする請求項３に記載の爪切り。
【請求項５】
前記押圧操作てこは上刃体上で上刃体を押圧し、この押圧操作てこの基端部が前記回動支持部で回動可能に支持され、この回動支持部から延びるこの押圧操作てこの先端部が上刃体に対しなす位置を互いに異なるように変更して、使用状態で複数の押圧可能状態を取り得ることを特徴とする請求項１に記載の爪切り。
【請求項６】
刃先を有する両刃体からなる刃体本体を操作部で押圧して両刃体の刃先を互いに当接させることができる使用状態を取り得る爪切りにおいて、その使用状態で両刃体の刃先の間隔を互いに相違させた複数の押圧可能状態を取り得ることを特徴とする爪切り。
【請求項７】
上刃先を有する上刃体と下刃先を有する下刃体とからなる刃体本体に対し回動支持部で回動可能に支持した押圧操作てこに設けた圧接部によりこの刃体本体を押圧して上刃先と下刃先とを互いに当接させることができる使用状態を取り得る爪切りにおいて、その使用状態で上刃体の上刃先と下刃体の下刃先との間隔を互いに相違させた複数の押圧可能状態を取り得ることを特徴とする爪切り。
【発明の詳細な説明】
【技術分野】
【０００１】
本発明は、刃先を有する両刃体からなる刃体本体を操作部で押圧して両刃体の刃先を互いに当接させることができる使用状態を取り得る爪切りに関するものである。
【背景技術】
【０００２】
従来、下記特許文献１に開示された爪切りでは、上刃先を有する上刃体と下刃先を有する下刃体とからなる刃体本体に対し押圧操作てこを回動支持部で回動可能に支持し、その押圧操作てこに設けた圧接部によりこの上刃体上で上刃体を押圧して上刃先と下刃先とを互いに当接させることができる使用状態を取り得る。この押圧操作てこにおいて、圧接部は、下記特許文献１の力点部に該当し、てこ本体に対し移動可能に支持され、上刃体に対し押圧操作てこを倒した不使用状態と、上刃体に対し押圧操作てこを起こした使用状態とを取り得る。
【先行技術文献】
【特許文献】
【０００３】
【特許文献１】実開平４−９３００６号公報
【発明の概要】
【発明が解決しようとする課題】
【０００４】
前述したように押圧操作てこの圧接部が上刃体上で上刃体を押圧し得る使用状態では、一つの押圧可能状態しか取り得ないので、上刃体に対する押圧操作てこの離間距離が一定になって手のサイズに応じた爪切りの使い勝手が悪くなったり、上刃先と下刃先との間隔が一定になって爪のサイズに応じた爪切りの使い勝手が悪くなったりするおそれがあった。
【０００５】
この発明は、例えば手のサイズや爪のサイズに応じた爪切りの使い勝手を良くすることを目的としている。
【課題を解決するための手段】
【０００６】
後記実施形態の図面（図１〜７に示す第１実施形態、図８〜９に示す第２実施形態、図１０〜１１に示す第２実施形態の別例）の符号を援用して本発明を説明する。
請求項１の発明にかかる爪切り（第１実施形態に対応）においては、上刃先５ａを有する上刃体５と下刃先６ａを有する下刃体６とからなる刃体本体３に対し押圧操作てこ４を回動支持部１２で回動可能に支持し、その押圧操作てこ４に設けた圧接部８によりこの刃体本体３を押圧して上刃先５ａと下刃先６ａとを互いに当接させることができる使用状態Ｑを取り得る。この使用状態Ｑでは、押圧操作てこ４と刃体本体３との相対位置関係を互いに相違させた複数の押圧可能状態Ｑ１，Ｑ２を取り得る。例えば、この相対位置関係の相違とは、上刃先５ａと下刃先６ａとを互いに当接させる操作方向への押圧操作てこ４の回動位置が互いに異なることである。
【０００７】
請求項２の発明にかかる爪切り（第１実施形態に対応）においては、上刃先５ａを有する上刃体５と下刃先６ａを有する下刃体６とからなる刃体本体３に対し押圧操作てこ４を回動支持部１２で回動可能に支持し、その押圧操作てこ４に設けた圧接部８によりこの刃体本体３を押圧して上刃先５ａと下刃先６ａとを互いに当接させることができる使用状態Ｑを取り得る。この使用状態Ｑでは、押圧操作てこ４と刃体本体３との相対位置関係を互いに相違させた複数の押圧可能状態Ｑ１，Ｑ２を取り得るように押圧操作てこ４と刃体本体３との間で作用する変更手段を設けた。例えば、この相対位置関係の相違とは、上刃先５ａと下刃先６ａとを互いに当接させる操作方向への押圧操作てこ４の回動位置が互いに異なることである。
【０００８】
請求項１〜２の発明では、前記使用状態Ｑにおける押圧可能状態Ｑ１，Ｑ２が複数設定されているので、使用者の身体的条件に応じてその押圧可能状態Ｑ１，Ｑ２を変更すれば、爪切りの使い勝手を良くすることができる。
【０００９】
請求項２の発明を前提とする請求項３の発明（第１実施形態に対応）において、前記変更手段は、固定部９と可動部２９とを有する変形部８を有し、その固定部９に対し可動部２９を移動可能に支持して、その変形部８を互いに異なる複数の形態に変更し得る。請求項３の発明では、固定部９と可動部２９とを有する変形部８において固定部９に対し可動部２９を移動させて変形部８を互いに異なる複数の形態に変更するだけの簡単な構成により、押圧操作てこ４と刃体本体３との相対位置関係を互いに相違させた複数の押圧可能状態Ｑ１，Ｑ２を取り得る。
【００１０】
請求項３の発明を前提とする請求項４の発明（第１実施形態に対応）において、前記変更手段の変形部は、上刃体５上で上刃体５を押圧し得るように押圧操作てこ４に設けた圧接部８であって、その圧接部８を互いに異なる形態に変更して、使用状態Ｑで押圧操作てこ４と上刃体５との相対位置関係を互いに相違させた複数の押圧可能状態Ｑ１，Ｑ２を取り得る。請求項４の発明では、変更手段の変形部を押圧操作てこ４の圧接部８により兼用して部品点数を減らした簡単な構成にすることができる。
【００１１】
請求項１の発明を前提とする請求項５の発明（第１実施形態に対応）において、前記押圧操作てこ４は上刃体５上で上刃体５を押圧し、この押圧操作てこ４の基端部が前記回動支持部１２で回動可能に支持され、この回動支持部１２から延びるこの押圧操作てこ４の先端部が上刃体５に対しなす位置を互いに異なるように変更して、使用状態Ｑで複数の押圧可能状態Ｑ１，Ｑ２を取り得る。請求項５の発明では、手のサイズが大きい使用者は上刃体５に対する押圧操作てこ４の離間距離Ｈを大きくし、手のサイズが小さい使用者は上刃体５に対する押圧操作てこ４の離間距離Ｈを小さくすれば、爪切りの使い勝手を良くすることができる。
【００１２】
請求項６の発明にかかる爪切りは、第１実施形態と第２実施形態及びその別例とに対応し、刃先５ａ，６ａ，４１ａ，４２ａを有する両刃体５，６，４１，４２からなる刃体本体３，４０を操作部４，４３で押圧して両刃体５，６，４１，４２の刃先５ａ，６ａ，４１ａ，４２ａを互いに当接させることができる使用状態Ｑを取り得る。その使用状態Ｑでは、両刃体５，６，４１，４２の刃先５ａ，６ａ，４１ａ，４２ａの間隔Ｓを互いに相違させた複数の押圧可能状態Ｑ１，Ｑ２を取り得る。
【００１３】
請求項６の発明では、爪のサイズが大きい使用者は両刃体５，６，４１，４２の刃先５ａ，６ａ，４１ａ，４２ａの間隔Ｓを大きくし、爪のサイズが小さい使用者は両刃体５，６，４１，４２の刃先５ａ，６ａ，４１ａ，４２ａの間隔Ｓを小さくすれば、爪切りの使い勝手を良くすることができる。
【００１４】
請求項７の発明にかかる爪切り（第１実施形態に対応）においては、上刃先５ａを有する上刃体５と下刃先６ａを有する下刃体６とからなる刃体本体３に対し押圧操作てこ４を回動支持部１２で回動可能に支持し、その押圧操作てこ４に設けた圧接部８によりこの刃体本体３を押圧して上刃先５ａと下刃先６ａとを互いに当接させることができる使用状態Ｑを取り得る。その使用状態Ｑでは、上刃体５の上刃先５ａと下刃体６の下刃先６ａとの間隔Ｓを互いに相違させた複数の押圧可能状態Ｑ１，Ｑ２を取り得る。
【００１５】
請求項７の発明では、爪のサイズが大きい使用者は上下両刃体５，６の刃先５ａ，６ａの間隔Ｓを大きくし、爪のサイズが小さい使用者は上下両刃体５，６の刃先５ａ，６ａの間隔Ｓを小さくすれば、爪切りの使い勝手を良くすることができる。
【００１６】
次に、請求項以外の技術的思想について実施形態の図面の符号を援用して説明する。
請求項３の発明または請求項４の発明を前提とする第８の発明（第１実施形態に対応）において、前記変更手段は、可動部２９を固定部９内に収容して変形部８の形態を変更し得る収容状態Ａと、可動部２９を固定部９から突出させて変形部８の形態を変更し得る突出状態Ｂとを取る。第８の発明では、変形部８の形態を大きく変化させずに使用状態Ｑにおける押圧可能状態Ｑ１，Ｑ２を可動部２９の収容状態Ａと突出状態Ｂとで容易に区別することができる。
【００１７】
請求項３の発明または請求項４の発明または第８の発明を前提とする第９の発明（第１実施形態に対応）において、前記変更手段は、固定部９に対し可動部２９を回動可能に支持することにより、変形部８を互いに異なる複数の形態に変更し得る。第９の発明では、固定部９に対し可動部２９を回動可能に支持するだけの簡単な構成により、変形部８を互いに異なる複数の形態に変更することができる。また、第８の発明については、変形部８において固定部９に対する可動部２９の突出寸法を変更し易い。
【００１８】
第９の発明を前提とする第１０の発明（第１実施形態に対応）において、前記刃体本体３に対し押圧操作てこ４を回動可能に支持する回動支持部１２は、上刃体５と下刃体６とに挿通した支軸１４を下刃体６に係止するとともに上刃体５上に突出させて上刃体５上でその支軸１４に押圧操作てこ４を回動可能に支持したものであり、この回動支持部１２における押圧操作てこ４の回動中心線１１ａと前記可動部２９の回動中心線２７ａとは互いに離間している。第１０の発明では、可動部２９の回動中心線２７ａを支軸１４の回動中心線１１ａと並べて配設することにより、回動支持部１２と変更手段の変形部８とをコンパクトにまとめることができる。
【００１９】
第１０の発明を前提とする第１１の発明（第１実施形態に対応）にかかる変更手段の変形部８において、可動部２９は前記押圧操作てこ４の回動中心線１１ａの方向の両側に配設された固定部９に配設されている。第１１の発明では、可動部２９を前記回動支持部１２の支軸１４を回避して配設することにより、回動支持部１２と変更手段の変形部８とをコンパクトにまとめることができる。
【００２０】
請求項３の発明、または第８〜１１の発明のうちいずれか一つの発明を前提とする第１２の発明（第１実施形態に対応）において、前記変更手段の変形部８は押圧操作てこ４に設けられ、その変形部８の可動部２９を移動させる操作摘み３１を押圧操作てこ４に設けた。第１２の発明では、押圧操作てこ４の操作摘み３１により可動部２９を移動操作し易い。
【００２１】
請求項６の発明を前提とする第１３の発明（第２実施形態及びその別例に対応）において、前記操作部４３は両刃体４１，４２を互いに開閉させる両柄４４，４５であって、その両柄４４，４５の開度を調節する規制部材４６により、使用状態Ｑで複数の押圧可能状態Ｑ１，Ｑ２を取り得る。第１３の発明では、規制部材４６により両柄４４，４５の開度を調節して両刃体４１，４２の刃先４１ａ，４２ａの間隔Ｓを容易に変更することができる。
【００２２】
請求項７の発明を前提とする第１４の発明（第１実施形態に対応）において、前記押圧操作てこ４は上刃体５上で上刃体５を押圧し、この押圧操作てこ４の基端部が前記回動支持部１２で回動可能に支持され、この回動支持部２から延びるこの押圧操作てこ４の先端部が上刃体５に対しなす位置を互いに異なるように変更して、使用状態Ｑで複数の押圧可能状態Ｑ１，Ｑ２を取り得る。第１４の発明では、手のサイズが大きい使用者は上刃体５に対する押圧操作てこ４の離間距離Ｈを大きくし、手のサイズが小さい使用者は上刃体５に対する押圧操作てこ４の離間距離Ｈを小さくすれば、爪切りの使い勝手を良くすることができる。
【００２３】
請求項５または請求項７の発明、または第１４の発明を前提とする第１５の発明（第１実施形態に対応）において、前記押圧操作てこ４は、上刃体５を押圧し得る圧接部８を互いに異なる形態に変更して、使用状態Ｑで複数の押圧可能状態Ｑ１，Ｑ２を取り得る。第１５の発明では、押圧操作てこ４の圧接部８を利用して部品点数を減らした簡単な構成により、複数の押圧可能状態Ｑ１，Ｑ２にすることができる。
【発明の効果】
【００２４】
本発明は、例えば手のサイズや爪のサイズなどの使用者の身体的条件に応じて使用状態Ｑにおける押圧可能状態Ｑ１，Ｑ２を変更することができるので、爪切りの使い勝手を良くすることができる。
【図面の簡単な説明】
【００２５】
【図１】第１実施形態にかかる爪飛散防止カバー付き爪切りにおいてその分解斜視図である。
【図２】（ａ）は第１実施形態にかかる爪飛散防止カバー付き爪切りにおいて押圧操作てこを上刃体上に倒した不使用状態で押圧操作てこの操作摘みを前進位置に切り替えるとともにカバー口蓋を閉塞した状態を示す側面図であり、（ｂ）は同じくカバー口蓋を閉塞した状態を示す平面図であり、（ｃ）は同じくカバー口蓋を開放した状態を示す側面図であり、（ｄ）は上記爪切りにおいて爪飛散防止カバーから取り出した爪切り本体で押圧操作てこを上刃体上に倒した不使用状態を示す側面図である。
【図３】（ａ）は図２（ｄ）の爪切り本体で押圧操作てこを上刃体上から起こした使用状態を示す側面図であり、（ｂ）は（ａ）の押圧操作てこを押圧した使用状態を示す側面図である。
【図４】（ａ）は図３（ａ）に示す爪切り本体を側面から見た部分拡大断面図であり、（ｂ）は同じく部分拡大断面図である。
【図５】（ａ）は上記押圧操作てこの操作摘みを後退位置に切り替えた状態を示す図２（ａ）相当側面図であり、（ｂ）は同じく図２（ｂ）相当平面図であり、（ｃ）は同じく図２（ｃ）相当側面図であり、（ｄ）は同じく図２（ｄ）相当側面図である。
【図６】（ａ）は図５（ｄ）の爪切り本体で押圧操作てこを上刃体上から起こした使用状態を示す側面図であり、（ｂ）は（ａ）の押圧操作てこを押圧した使用状態を示す側面図である。
【図７】（ａ）は図６（ａ）に示す爪切り本体を側面から見た部分拡大断面図であり、（ｂ）は同じく部分拡大断面図である。
【図８】（ａ）は第２実施形態にかかる爪切りにおいて両柄間のばねを第一位置に切り替えて両柄を互いに開いた使用状態を示す正面図であり、（ｂ）は（ａ）の両柄を互いに閉じた使用状態を示す正面図である。
【図９】（ａ）は第２実施形態にかかる爪切りにおいて両柄間のばねを第二位置に切り替えて両柄を互いに開いた使用状態を示す正面図であり、（ｂ）は（ａ）の両柄を互いに閉じた使用状態を示す正面図である。
【図１０】（ａ）は第２実施形態の別例にかかる爪切りにおいて両柄間のばねを第一位置に切り替えて両柄を互いに開いた使用状態を示す正面図であり、（ｂ）は（ａ）の両柄を互いに閉じた使用状態を示す正面図である。
【図１１】（ａ）は第２実施形態の別例にかかる爪切りにおいて両柄間のばねを第二位置に切り替えて両柄を互いに開いた使用状態を示す正面図であり、（ｂ）は（ａ）の両柄を互いに閉じた使用状態を示す正面図である。
【発明を実施するための形態】
【００２６】
まず、本発明の第１実施形態にかかる爪切りについて図１〜７を参照して説明する。
この爪切りは、図１に示すように刃体本体３と押圧操作てこ４とを有する爪切り本体１と、図２（ａ）（ｂ）（ｃ）及び図５（ａ）（ｂ）（ｃ）に示すようにこの爪切り本体１を収容する爪飛散防止カバー２とを備えている。
【００２７】
前記刃体本体３は、先端部に上刃先５ａを有する板状の上刃体５と、先端部に下刃先６ａを有する板状の下刃体６とからなり、この上刃体５の基端部とこの下刃体６の基端部とが互いに取着され、この上刃先５ａと下刃先６ａとが互いに離間するように上刃体５及び下刃体６に持たせた弾性力に抗して上刃先５ａと下刃先６ａとが互いに当接し得る。なお、この上刃体５及び下刃体６は、ステンレス鋼やチタンやセラミックスなどにより成形されている。
【００２８】
前記押圧操作てこ４の基端部から先端部側へてこ本体７が延設され、このてこ本体７の基端部には二股状の両支持腕部９を有する圧接部８が形成されているとともに、このてこ本体７の外周には皮製の指当て７ａがてこ本体７の先端部側から基端部側にわたり巻かれている。この圧接部８の両支持腕部９間に形成された切欠凹部１０で両支持腕部９には支持突起１１が相対向して形成されている。なお、このてこ本体７は、ステンレス鋼やチタンやセラミックスやプラスチックなどにより成形されている。
【００２９】
図３（ａ）及び図４（ａ）（ｂ）並びに図６（ａ）及び図７（ａ）（ｂ）に示すように、前記押圧操作てこ４を前記刃体本体３に対し回動可能に支持する回動支持部１２においては、上刃先５ａ及び下刃先６ａの付近で上刃体５及び下刃体６に形成された支持孔１３に支軸１４がその軸線回りで回動可能に挿通され、その支軸１４の下端部に形成された頭部１４ａが下刃体６の支持孔１３の周縁部下側に係止されるとともに、支軸１４の上端部が上刃体５上に突出して前記圧接部８の切欠凹部１０に挿入され、その支軸１４の上端部の外周両側に形成された支持凹部１５に前記圧接部８の両支持腕部９の支持突起１１が係入されている。従って、押圧操作てこ４は、図２（ｂ）及び図５（ｂ）に示すように上刃体５上で支軸１４に対し両支持突起１１間を結ぶ回動中心線１１ａを中心にして回動可能に支持されるとともに、支軸１４の回動に伴い支軸１４の軸線を中心にして回動し、図２（ｄ）及び図５（ｄ）に示すように上刃体５上に倒されて表側が上を向く不使用状態Ｐと、図３（ａ）及び図６（ａ）に示すように上刃体５上で起こされて上刃体５に対し裏側が上を向いて傾斜する使用状態Ｑとを取る。
【００３０】
前記爪飛散防止カバー２においては、袋部１６から底壁部１７と両側壁部１８とが口部１９まで延設されてその底壁部１７の上方と口部１９とで開放され、その両側壁部１８の外側に凹条の爪やすり２０が延設されているとともに、その口部１９の外側で両側壁部１８には口部１９を開閉し得る口蓋２１が回動可能に支持されている。なお、爪飛散防止カバー２の袋部１６や底壁部１７や両側壁部１８や口蓋２１は、ステンレス鋼やアルミニウムやプラスチックなどにより成形されている。この爪飛散防止カバー２に爪切り本体１を収容した状態では、刃体本体３の基端部が袋部１６に挿入され、刃体本体３の下刃体６が底壁部１７に面し、上下両刃先５ａ，６ａが口部１９で露出し、刃体本体３の上刃体５上で押圧操作てこ４が露出して前記不使用状態Ｐまたは使用状態Ｑを取る。
【００３１】
前記押圧操作てこ４のてこ本体７において、押圧操作てこ４の回動中心線１１ａの方向の両側で配設された二股状の両支持腕部９を含む圧接部８には表側で形成された山状の力点部２２と裏側で形成された非圧接面２３とを有し、表側には操作凹所２４がこの力点部２２に隣接して形成されているとともに、この圧接部８の両支持腕部９にはこの操作凹所２４から連続する収容凹部２５が形成されている。この力点部２２には当接面２２ａが頂部２２ｂから前記押圧操作てこ４の回動中心線１１ａ側へ傾斜して延びるように形成されている。この操作凹所２４及び収容凹部２５には、可動レバー２６と操作摘み３１と止めねじ３２と板ばね３６などが組み込まれる。なお、この可動レバー２６及び操作摘み３１も、ステンレス鋼やチタンやセラミックスやプラスチックなどにより成形されている。この可動レバー２６は、前記押圧操作てこ４の回動中心線１１ａに対し操作凹所２４側へ離間する位置で力点部２２に対し頂部２２ｂの付近で支持ピン２７により回動可能に支持された支点部２８と、この支点部２８から二股状に延びて両収容凹部２５に嵌め込まれる可動腕部２９と、この可動腕部２９とは反対側へ操作凹所２４上に向けて二股状に延びる操作腕部３０とを有している。この可動腕部２９には当接面２９ａが前記力点部２２の当接面２２ａに隣接して形成され、この両操作腕部３０には押接突部３０ａが形成されている。前記操作凹所２４の表側には操作摘み３１がてこ本体７の長手方向へ移動可能に嵌め込まれ、その操作摘み３１に形成された凹凸状の表面には長手方向の両側で傾斜状の指当てが形成されている。この操作凹所２４の裏側に形成された長孔２４ａから止めねじ３２が長孔２４ａの延設方向に沿って移動可能に挿入されて前記可動レバー２６の両操作腕部３０間を通ってこの操作摘み３１に螺合され、この止めねじ３２の下端に形成された頭部３２ａがこの長孔２４ａの周縁部に係止されて操作摘み３１が操作凹所２４の表側から抜け落ちないように保持されるとともに止めねじ３２と一体的に移動し得る。前記可動レバー２６の両操作腕部３０に面する操作摘み３１の内側には押接回避凹部３４が形成されているとともにこの押接回避凹部３４と前記可動レバー２６の支点部２８との間で押接部３５が形成されて押接回避凹部３４と並んでいる。この操作凹所２４内には二股状の板ばね３６が支持され、その板ばね３６の両弾性腕部３６ａが前記止めねじ３２の両側に配置されて前記可動レバー２６の両操作腕部３０を操作摘み３１側へ圧接している。この操作凹所２４の裏側は止めねじ３２の頭部３２ａが見えないように蓋体３３により閉塞されている。
【００３２】
図３（ａ）及び図４（ａ）（ｂ）に示すように前記操作摘み３１を前記可動レバー２６の支点部２８側へ接近させた前進位置Ｆに移動させると、前記両操作腕部３０が板ばね３６の両弾性腕部３６ａの弾性力により操作摘み３１側へ押されて支点部２８の回動中心線２７ａを中心に回動し、この両操作腕部３０の押接突部３０ａがこの操作摘み３１の押接回避凹部３４に挿入されてその押接突部３０ａと押接回避凹部３４とに形成された斜面が互いに接触し、前記可動レバー２６の両可動腕部２９が支点部２８の回動中心線２７ａを中心に回動して前記両支持腕部９の収容凹部２５に収容された収容状態Ａとなり、両可動腕部２９の当接面２９ａが力点部２２の当接面２２ａに対し略面一となった状態で保持される。図６（ａ）及び図７（ａ）（ｂ）に示すようにこの操作摘み３１を前記可動レバー２６の支点部２８側から離間させた後退位置Ｒに移動させると、両操作腕部３０の押接突部３０ａの斜面と操作摘み３１の押接回避凹部３４の斜面との間で生じる分力により、その押接突部３０ａがその押接回避凹部３４から外れて操作摘み３１の押接部３５により板ばね３６の両弾性腕部３６ａの弾性力に抗して押されて両操作腕部３０が支点部２８の回動中心線２７ａを中心に回動し、可動レバー２６の両可動腕部２９が支点部２８の回動中心線２７ａを中心に回動して収容凹部２５から突出した突出状態Ｂとなり、両可動腕部２９の当接面２９ａが力点部２２の頂部２２ｂから力点部２２の当接面２２ａに対し最大突出寸法約１．３ｍｍで突出して傾斜するように延びて段差をなす。
【００３３】
ちなみに、前記固定部としての両支持腕部９と前記可動部としての両可動腕部２９とを有する前記変形部としての圧接部８により、押圧操作てこ４側の変更手段が構成され、力点部２２の当接面２２ａや可動腕部２９の当接面２９ａが当接し得る上刃体５の当接面５ｂにより、上刃体５側の変更手段が構成されている。
【００３４】
図２（ａ）（ｂ）に示す状態では、爪切り本体１の刃体本体３が爪飛散防止カバー２に収容され、その爪飛散防止カバー２の口部１９が口蓋２１により閉じられているとともに、上刃体５上に押圧操作てこ４が倒されて不使用状態Ｐになっている。その押圧操作てこ４においては、操作摘み３１が前進位置Ｆにあるため、可動レバー２６の両可動腕部２９が両支持腕部９の収容凹部２５に収容された収容状態Ａとなっている。この口蓋２１を回動させて口部１９から退避させると、図２（ｃ）に示す状態となり、この口蓋２１と爪飛散防止カバー２の袋部１６とで支えて載置すれば、爪飛散防止カバー２を載置面から浮かすことができ、単に爪飛散防止カバー２の底壁部１７を載置するだけの場合と比較して、上下両刃先５ａ，６ａを載置面からより一層浮かすことができる。なお、この爪飛散防止カバー２から爪切り本体１を取り出した状態でその爪切り本体１の使用手順を述べる。
【００３５】
図２（ｄ）に示すように不使用状態Ｐにある爪切り本体１において、押圧操作てこ４を支軸１４の軸線回りで回動させるとともに押圧操作てこ４の圧接部８を上下反転させてその圧接部８の力点部２２の当接面２２ａを上刃体５上の当接面５ｂに当てがうと、図３（ａ）及び図４（ａ）（ｂ）に示す使用状態Ｑとなる。この使用状態Ｑでは、上刃体５の基端部に対する押圧操作てこ４の先端部の離間距離Ｈ（約５６ｍｍ）を大きく設定することができるとともに、上刃体５の上刃先５ａと下刃体６の下刃先６ａとの間隔Ｓ（約３．２ｍｍ）を大きく設定することができる。その際、上刃体５に対する押圧操作てこ４の傾斜角度（約４０度）も大きくなる。図３（ａ）に示す使用状態Ｑで押圧操作てこ４の先端部と上刃体５の基端部とに指を当てがって押圧操作てこ４を下方へ押さえると、図３（ｂ）に示すように、押圧操作てこ４の力点部２２で上刃体５が下方へ押圧されて上刃先５ａと下刃先６ａとが互いに当接する。その際、上刃体５の基端部に対する押圧操作てこ４の先端部の離間距離ｈは約２３ｍｍである。
【００３６】
図５（ａ）（ｂ）（ｃ）（ｄ）は図２（ａ）（ｂ）（ｃ）（ｄ）に、図６（ａ）（ｂ）は図３（ａ）（ｂ）に、図７（ａ）（ｂ）は図４（ａ）（ｂ）に、それぞれ対応し、操作摘み３１が前進位置Ｆから後退位置Ｒに切り替えられている。従って、図５（ｄ）に示すように不使用状態Ｐにある爪切り本体１において、押圧操作てこ４を支軸１４の軸線回りで回動させるとともに押圧操作てこ４の圧接部８を上下反転させてその圧接部８の力点部２２の当接面２２ａを上刃体５上の当接面５ｂに当てがうと、図６（ａ）及び図７（ａ）（ｂ）に示す使用状態Ｑとなる。この使用状態Ｑでは、上刃体５の基端部に対する押圧操作てこ４の先端部の離間距離Ｈ（約４３ｍｍ）を小さく設定することができるとともに、上刃体５の上刃先５ａと下刃体６の下刃先６ａとの間隔Ｓ（約２．２ｍｍ）を小さく設定することができる。その際、上刃体５に対する押圧操作てこ４の傾斜角度（約３２度）も小さくなる。図６（ａ）に示す使用状態Ｑで押圧操作てこ４の先端部と上刃体５の基端部とに指を当てがって押圧操作てこ４を下方へ押さえると、図６（ｂ）に示すように、押圧操作てこ４の力点部２２で上刃体５が下方へ押圧されて上刃先５ａと下刃先６ａとが互いに当接する。その際、上刃体５の基端部に対する押圧操作てこ４の先端部の離間距離ｈは図３（ｂ）に示す場合と同様に約２３ｍｍであるが、図３（ｂ）に示す場合と図６（ｂ）に示す場合とでその離間距離ｈを互いに異なるようにしてもよい。
【００３７】
次に、本発明の第２実施形態にかかる爪切りについて図８〜９を参照して説明する。
一対の刀身３７，３８が回動中心部３９により開閉可能に支持されてＸ状に交差し、この両刀身３７，３８には回動中心部３９よりも先端側で刃先４１ａ，４２ａを有する両刃体４１，４２が刃体本体４０として設けられているとともに、この両刀身３７，３８には回動中心部３９よりも基端側で両柄４４，４５が操作部４３として設けられている。一方の刀身３７の柄４４には規制部材としての板ばね４６がその柄４４の長手方向へ複数段階で移動可能に支持されて止めねじ４７により取着され、その板ばね４６の先端部４６ａが他方の刀身３８の柄４５に当接し得る。この止めねじ４７を緩めて一方の柄４４に対し板ばね４６を移動調節すると、板ばね４６の先端部４６ａが他方の柄４５に対し当接する位置を図８（ａ）または図９（ａ）に示すように変更することができる。従って、図８（ａ）に示すように板ばね４６の弾性力により両柄４４，４５が互いに開いた使用状態Ｑでは両柄４４，４５間の離間距離Ｈや両刃体４１，４２の刃先４１ａ，４２ａの間隔Ｓを大きく設定することができる押圧可能状態Ｑ１となり、図９（ａ）に示すように板ばね４６の弾性力により両柄４４，４５が互いに開いた使用状態Ｑでは両柄４４，４５間の離間距離Ｈや両刃体４１，４２の刃先４１ａ，４２ａの間隔Ｓを小さく設定することができる押圧可能状態Ｑ２となる。図８（ａ）または図９（ａ）に示す使用状態Ｑで両柄４４，４５を板ばね４６の弾性力に抗して互いに閉じると、図８（ｂ）または図９（ｂ）に示すように両刃体４１，４２も互いに閉じて両刃先４１ａ，４２ａが互いに当接する。なお、一方の柄４４で板ばね４６を止めねじ４７を中心に回動させてその先端部４６ａを他方の柄４５から離せば、板ばね４６の弾性力が柄４５に作用しない状態で両柄４４，４５を互いに閉じて保管することができる。
【００３８】
図１０〜１１に示す第２実施形態の別例においては、一方の刀身３７の柄４４に規制部材として止めねじ４７により取着された板ばね４６がその止めねじ４７を中心に回動可能に支持され、その板ばね４６には互いに長さの異なる一対の弾性腕部４６ｂ，４６ｃが形成されている。止めねじ４７を中心に板ばね４６を回動させると、図１０（ａ）に示すように板ばね４６の一方の弾性腕部４６ｂが他方の柄４５に当接し、図１１（ａ）に示すように板ばね４６の他方の弾性腕部４６ｃが他方の柄４５に当接する。従って、図１０（ａ）に示すように板ばね４６の弾性力により両柄４４，４５が互いに開いた使用状態Ｑでは両柄４４，４５間の離間距離Ｈや両刃体４１，４２の刃先４１ａ，４２ａの間隔Ｓを大きく設定することができる押圧可能状態Ｑ１となり、図１１（ａ）に示すように板ばね４６の弾性力により両柄４４，４５が互いに開いた使用状態Ｑでは両柄４４，４５間の離間距離Ｈや両刃体４１，４２の刃先４１ａ，４２ａの間隔Ｓを小さく設定することができる押圧可能状態Ｑ２となる。図１０（ａ）または図１１（ａ）に示す使用状態Ｑで両柄４４，４５を板ばね４６の弾性力に抗して互いに閉じると、図１０（ｂ）または図１１（ｂ）に示すように両刃体４１，４２も互いに閉じて両刃先４１ａ，４２ａが互いに当接する。なお、一方の柄４４で板ばね４６を止めねじ４７を中心に回動させてその両弾性腕部４６ｂ，４６ｃを他方の柄４５から離せば、板ばね４６の弾性力が柄４５に作用しない状態で両柄４４，４５を互いに閉じて保管することができる。
【００３９】
本実施形態は下記の効果を有する。
＊  第１実施形態においては、手のサイズや爪のサイズなどの使用者の身体的条件に応じて、使用状態Ｑで上刃体５に対する押圧操作てこ４の離間距離Ｈや上下両刃体５，６の刃先５ａ，６ａの間隔Ｓを変更して、押圧操作てこ４と上刃体５との相対位置関係を互いに相違させた複数の押圧可能状態Ｑ１，Ｑ２にすることができるので、爪切りの使い勝手を良くすることができる。
【００４０】
＊  第２実施形態及びその別例においても、手のサイズや爪のサイズなどの使用者の身体的条件に応じて、使用状態Ｑで両柄４４，４５の離間距離Ｈや両刃体４１，４２の刃先４１ａ，４２ａの間隔Ｓを変更して、両柄４４，４５の相対位置関係を互いに相違させた複数の押圧可能状態Ｑ１，Ｑ２にすることができるので、爪切りの使い勝手を良くすることができる。
【００４１】
＊  第１実施形態においては、回動支持部１２の付近で押圧操作てこ４にある既存の圧接部８の形態を変形させるだけの簡単な構成により、使用状態Ｑにおける押圧可能状態Ｑ１，Ｑ２を複数設定することができる。
【００４２】
＊  第２実施形態及びその別例においては、両柄４４，４５間にある既存の板ばね４６を利用するだけの簡単な構成により、使用状態Ｑにおける押圧可能状態Ｑ１，Ｑ２を複数設定することができる。
【００４３】
＊  第１実施形態においては、不使用状態Ｐで押圧操作てこ４の操作摘み３１が上向きになるので、操作摘み３１を前進位置Ｆまたは後退位置Ｒに操作し易いが、使用状態Ｑで操作摘み３１が下向きになって上刃体５と押圧操作てこ４との間に位置するので、押圧操作てこ４の押圧時に邪魔にならない。
【００４４】
＊  従来は手のサイズに応じて各種サイズの爪切りを使い分けることがあるが、第１実施形態や第２実施形態及びその別例においては、手のサイズが変わっても一つの爪切りだけを用意すればよい。
＊  第１実施形態や第２実施形態及びその別例においては、両刃先５ａ，６ａ，４１ａ，４２ａの間隔Ｓが大きい爪切りを手の小さい使用者例えば子供が利用すると、指先の肉を切るかもしれないという恐怖心を感じるおそれがあるが、両刃先５ａ，６ａ，４１ａ，４２ａの間隔Ｓが小さい爪切りを利用することでそのおそれを少なくして使用者に安心感を与えることができる。また、親が子供の爪を切る場合も子供に安心感を与えることができる。
【００４５】
前記実施形態以外にも例えば下記のように構成してもよい。
・  押圧操作てこ４に形成した変形部としての圧接部８に代えて、その変形部を上刃体５に設けてもよい。
【００４６】
・  押圧操作てこ４における操作摘み３１の移動方式については、スライド方式以外に回動方式や押しボタン方式であってもよい。
・  押圧操作てこ４の圧接部８において、可動腕部２９の可動方式については、回動方式以外にスライド方式であってもよい。
【００４７】
・  押圧操作てこ４の圧接部８において、収容凹部２５に対する可動腕部２９の収容状態Ａをなくし、収容凹部２５に対する可動腕部２９の突出状態Ｂのままで可動腕部２９の突出寸法を変化させて形態を変更してもよい。
【００４８】
・  押圧操作てこ４の圧接部８の形態を変更して、使用状態Ｑで押圧可能状態Ｑ１，Ｑ２を複数（二以上）設定するばかりではなく、上下両刃先５ａ，６ａを互いに当接させたままの状態で保持できるようにすれば、保管時に上下両刃先５ａ，６ａが傷付きにくくなるとともに、爪飛散防止カバー２から爪の切りかすが不用意に落下しにくくなる。
【符号の説明】
【００４９】
１…爪切り本体、３…刃体本体、４…操作部としての押圧操作てこ、５…上刃体、５ａ…上刃先、６…下刃体、６ａ…下刃先、８…変形部としての圧接部、９…固定部としての支持腕部、１２…回動支持部、２９…可動部としての可動腕部、４０…刃体本体、４１，４２…刃体、４１ａ，４２ａ…刃先、４３…操作部、４４，４５…柄、４６…規制部材としての板ばね、Ｑ…使用状態、Ｑ１，Ｑ２…押圧可能状態、Ｓ…上下両刃先の間隔。
【図１】
2010172573.tif 000003
【図２】
2010172573.tif 000004
【図３】
2010172573.tif 000005
【図４】
2010172573.tif 000006
【図５】
2010172573.tif 000007
【図６】
2010172573.tif 000008
【図７】
2010172573.tif 000009
【図８】
2010172573.tif 000010
【図９】
2010172573.tif 000011
【図１０】
2010172573.tif 000012
【図１１】
2010172573.tif 000013